(57)【要約】      （修正有）【課題】作業者が安全に有害な動物を駆除できる動物駆除装置を提供する。【解決手段】動物駆除装置１は、動物を収容できる大きさの捕獲用檻１０と、捕獲用檻を貫通した状態で配置した、導電性を有する棒材２０２と、棒材に電流を流す電源装置２２０と、棒材と収容室との間に配置され、電源装置から流れた電流が当該棒材から捕獲用檻に流れないよう絶縁する絶縁部材２０４とを有する。捕獲用檻は、金属製の檻である。また、棒材は、捕獲用檻の金属製格子に挿通して配置され、捕獲用檻の底面から捕獲用檻に収容された動物と接触する高さに配置されている。【選択図】図１
0003230223.tif 000002
【実用新案登録請求の範囲】
【請求項１】
動物を収容できる大きさの収容室と、
前記収容室を貫通した状態で配置した、導電性を有する棒材と、
前記棒材に電流を流す電源装置と、
前記棒材と前記収容室との間に配置された絶縁部材と
を有し、
前記棒材は、前記収容室の底面から当該収容室に収容された動物と接触する高さに配置されている
動物駆除装置。
【請求項２】
前記収容室は、金属製の檻であり、
前記棒材は、前記収容室の金属製格子に挿通して配置され、
前記絶縁部材は、前記電源装置から流れた電流が前記棒材から前記収容室に流れないよう絶縁する
請求項１に記載の動物駆除装置。
【請求項３】
前記棒材の両端部は、前記収容室に収容された動物により衝撃を与えられても当該収容室から脱落しない程度に、当該収容室の外壁面から外側に向かって突出している
請求項２に記載の動物駆除装置。
【請求項４】
前記絶縁部材は、筒状であり、前記棒材の外側に挿通した状態で、当該棒材の長さ方向に、取り付け位置を自在に変えて配置される
請求項３に記載の動物駆除装置。
【考案の詳細な説明】
【技術分野】
【０００１】
本考案は、動物駆除装置に関するものである。
【背景技術】
【０００２】
例えば、特許文献１には、絶縁性材料で形成されており、かつ、棒状である棒状部材と、該棒状部材の一端に配置されており、かつ、電圧が印加されたときに陽極となるプラス電極部と、該プラス電極部と電気的に接続されており、かつ、同プラス電極部に平均電圧値０．３５〜１．５ｋＶを有するパルス状電圧を出力時間１〜１０ｍ秒で印加可能なパルス状電圧印加回路と、該パルス状電圧印加回路と電気的に接続されており、かつ、電圧が印加されたときに陰極となるマイナス電極部とを備える止め刺し器が開示されている。
【先行技術文献】
【特許文献】
【０００３】
【特許文献１】特開２０１８−７５７７号公報
【考案の概要】
【考案が解決しようとする課題】
【０００４】
本考案は、作業者が安全に有害な動物を駆除できる動物駆除装置を提供することを目的とする。
【課題を解決するための手段】
【０００５】
本考案に係る動物駆除装置は、動物を収容できる大きさの収容室と、前記収容室を貫通した状態で配置した、導電性を有する棒材と、前記棒材に電流を流す電源装置と、前記棒材と前記収容室との間に配置された絶縁部材とを有し、前記棒材は、前記収容室の底面から当該収容室に収容された動物と接触する高さに配置されている。
【０００６】
好適には、前記収容室は、金属製の檻であり、前記棒材は、前記収容室の金属製格子に挿通して配置され、前記絶縁部材は、前記電源装置から流れた電流が前記棒材から前記収容室に流れないよう絶縁する。
【０００７】
好適には、前記棒材の両端部は、前記収容室に収容された動物により衝撃を与えられても当該収容室から脱落しない程度に、当該収容室の外壁面から外側に向かって突出している。
【０００８】
好適には、前記絶縁部材は、筒状であり、前記棒材の外側に挿通した状態で、当該棒材の長さ方向に、取り付け位置を自在に変えて配置される。
【考案の効果】
【０００９】
本考案によれば、作業者が安全に有害な動物を駆除できることができる。
【図面の簡単な説明】
【００１０】
【図１】本実施形態における動物駆除装置１の構成を説明する図である。
【図２】図１に例示する捕獲用檻１０及び電極部２００の正面図及び側面図を例示する図である。
【図３】電極部２０における絶縁部２０４の配置を説明する図である。
【図４】使用状態における動物駆除装置１を説明する図である。
【考案を実施するための形態】
【００１１】
まず、本考案がなされた背景を説明する。
箱罠で捕獲された動物の止めを刺す方法として、例えば、捕獲した動物に電極を接触させて電気を流し止めを刺す方法がある。従来では、先端に電極を設けた竿又は槍を捕獲した動物に接触させて電気を流し止めを刺していた。しかし、捕獲した動物が興奮状態であると、止めを刺す作業中に動物からの攻撃を受ける可能性があるため、危険が伴っていた。そこで、上記事情を一着眼点にして本考案の実施形態を創作するに至った。本考案の実施形態によれば、箱罠内に予め電気を流すための電極を配置することにより、安全に止めを刺すことが可能である。以下、本考案に係る実施形態を、図面を参照して説明する。
【００１２】
図１は、本実施形態における動物駆除装置１の構成を説明する図である。
図２は、図１に例示する捕獲用檻１０及び電極部２００の正面図及び側面図を例示する図である。
図１及び図２に例示するように、動物駆除装置１は、動物のうち、有害な動物を駆除するための装置である。有害な動物とは、人の活動に害をもたらす動物であり、例えば、イノシシ、ハクビシンやアライグマ、サル、シカ、又は、クマ等の哺乳類に属する動物である。なお、本例では、有害動物の一例としてイノシシを具体例に説明する。
【００１３】
動物駆除装置１は、捕獲用檻１０と、屠殺用具２０とを有する。
捕獲用檻１０は、有害動物を捕獲するための檻、いわゆる箱罠である。捕獲用檻１０は、有害動物を収容できる大きさの金属製の檻である。捕獲用檻１０の各面には、金属製格子を配置される。また、捕獲用檻１０は、捕獲用檻１０の上下方向に開閉する開閉部１０Ａを有する。捕獲用檻１０は、既製品で代用することができる。なお、捕獲用檻１０は、本考案に係る収容室の一例である。
【００１４】
屠殺用具２０は、電極部２００、電源装置２２０、アース棒２３０、及び、電線２４０を含む。
電極部２００は、棒材２０２及び絶縁部２０４を有する。
棒材２０２は、導電性を有する中実、又は、中空である棒材である。棒材２０２は、導電性を有する素材として、例えば金属製が好ましい。なお、本例の棒材２０２は、鉄製の中空である棒材、いわゆる鉄パイプ材である。
棒材２０２は、捕獲用檻１０の内部に棒材２０２の一部が配置されるよう、捕獲用檻１０を貫通した状態で配置される。配置された棒材２０２の両端は、捕獲用檻１０に収容された有害動物により衝撃を与えられても捕獲用檻１０から脱落しない程度に、捕獲用檻１０の外壁面から外側に向かって突出している。また、棒材２０２は、図２に例示したように、捕獲用檻１０の底面から９０ｃｍ以下の高さ（取付高さＨ）となる位置に配置される。例えば、有害動物がハクビシンやアライグマである場合、棒材２０２の取付高さＨは、捕獲用檻１０の底面から２０ｃｍ以下の高さとなる。また、例えば有害動物がイノシシである場合、棒材２０２の取付高さＨは、捕獲用檻１０の底面から５０ｃｍ以下の高さとなる。また、例えば有害動物がクマである場合、捕棒材２０２の取付高さＨは、捕獲用檻１０の底面から６０ｃｍ以下の高さとなる。また、例えば有害動物がシカである場合、棒材２０２の取付高さＨは、捕獲用檻１０の底面から９０ｃｍ以下の高さとなる。すなわち、棒材２０２は、捕獲用檻１０の底面から捕獲用檻１０に収容された有害動物と接触する高さに配置される。
【００１５】
絶縁部２０４は、絶縁性のある材料で形成され、例えば、合成樹脂で形成されたパイプ材である。本例の絶縁部２０４は、棒材２０２を挿通できる内径を有する、塩化ビニル製のパイプ材である。絶縁部２０４は、棒材２０２を挿通した状態で、棒材２０２の両端近傍にそれぞれ配置される。棒材２０２の両端に配置された絶縁部２０４は、棒材２０２と捕獲用檻１０との間に配置され、後述するバッテリー２２４から流れた電流が棒材２０２から捕獲用檻１０に流れないよう絶縁する。以下、Ｔ字型の形状に形成された絶縁部２０４を絶縁部２０４Ａと称呼し、筒型に形成された絶縁部２０４を絶縁部２０４Ｂと称呼する。なお、絶縁部２０４Ａおよび絶縁部２０４Ｂは、特に区別する必要がない場合は、単に絶縁部２０４と称呼する。
【００１６】
電源装置２２０は、棒材２０２に電流を流す装置であり、インバータ装置２２２、及びバッテリー２２４を含む。
インバータ装置２２２は、直流電流を交流電流に変換する装置ある。インバータ装置２２２は、バッテリー２２０から出力された直流電流を交流電流に変換する。本例のインバータ装置２２２は、ＤＣ１２ＶからＡＣ１００Ｖ〜１１０Ｖに変換し、直流電流を交流電流として出力する。これにより、長時間電流を棒材２０２に安定的に流すことができる。なお、インバータ装置２２２は、既製品で代用することができる。
【００１７】
バッテリー２２４は、直流電力を蓄える蓄電池であり、既製品で代用することができる。本例のバッテリー２２４は、直流電流を出力するＤＣ１２Ｖタイプの車載用バッテリーである。なお、バッテリー２２４は、既製品で代用することができる。
【００１８】
アース棒２３０は、バッテリー２２４から出力された電流を大地に流すための線である。なお、アース棒２３０は、既製品で代用することができる。
電線２４０は、電気を伝送するための線状部材であり、電線２４０Ａ，電線２４０Ｂ、及び、電線２４０Ｃを含む。電線２４０Ａは、インバータ装置２２２及びバッテリー２２４を電気的に接続する。また、電線２４０Ｂは、電極部２００の棒材２０２、及び、インバータ装置２２２を電気的に接続する。また、電線２４０Ｃは、入／切スイッチを含み、インバータ装置２２２、及び、アース棒２３０を電気的に接続する。なお、電線２４０は、既製品で代用することができる。
【００１９】
図３は、電極部２０における絶縁部２０４の配置を説明する図である。図３（Ａ）は、絶縁部２０２Ａを第１固定位置２０７に配置した電極部２００を例示する図であり、図３（Ｂ）は、絶縁部２０２Ａを第２固定位置２０８に配置した電極部２００を例示する図である。
図３に例示するように、電極部２００は、捕獲用檻１０を貫通した状態で配置される。貫通した状態で配置された電極部２００は、捕獲用檻１０の金属製格子に両端を支持されている。絶縁部２０４は、棒材２０２に挿通した状態において、棒材２０２の長さ方向にスライド移動自在であり、棒材２０２に予め穿孔された位置にボルトナットを締結することにより、所定の位置に固定される。絶縁部２０４は、捕獲用檻１０の金属製格子と棒材２０２とが接触する位置に固定される。
なお、図３（Ａ）に例示する捕獲用檻１０と、図３（Ｂ）に例示する捕獲用檻１０
とは、幅寸法が異なる檻であり、図３（Ａ）に例示する捕獲用檻１０の幅Ｗ１は、図３（Ｂ）に例示する捕獲用檻１０の幅Ｗ２より幅広であるものとして、以下説明する。
図３（Ａ）に例示した絶縁部２０４Ａは、第１固定位置２０７に配置される。絶縁部２０４Ａは、絶縁部２０４Ａの両端面近傍にボルトナットをそれぞれ締結し配置している。このとき、絶縁部２０４Ａの端面と絶縁部２０４Ｂの端面との離間距離Ｄ１は、後述する離間距離Ｄ２より長い。また、図３（Ｂ）に例示した絶縁部２０４Ａは、第２固定位置２０８に配置される。絶縁部２０４Ａは、第１固定位置２０７に配置された場合と同様に、絶縁部２０４Ａの両端面近傍にボルトナットをそれぞれ締結し配置している。このとき、絶縁部２０４Ａの端面と絶縁部２０４Ｂの端面との離間距離Ｄ２は、離間距離Ｄ１より短い。
このように、絶縁部２０４は、棒材２０２の外側に挿通した状態で、棒材２０２の長さ方向に、取り付け位置を自在に変えて配置することができる。換言すると、絶縁部２０４Ａ及び絶縁部２０４Ｂの相対位置を自在に変えて配置することができる。これにより、電極部２００の棒材２０２を挿通する捕獲用檻１０の幅に合わせて、絶縁部２０４の位置を調節することができる。
【００２０】
図４は、使用状態における動物駆除装置１を説明する図である。
ここで、図４に例示した動物駆除装置１は、有害動物５が棒材２０２に接触した場合に、棒材２０２に電流が流れる状態で配置されたものとして説明する。また、有害動物５の感電時において、有害動物５が棒材２０２に接触し通電すると、インバーター装置２２４を介してバッテリー２２２から、電線２４０Ｂ、棒材２０２、有害動物５、地中の順に電流が流れるものとする。
図４（Ａ）に例示するように、まず、作業者は、所定の場所に動物駆除装置１を設置し、設置後に電線２４０Ｃに含まれる入／切スイッチを操作し、有害動物５が棒材２０２に接触したタイミングで、バッテリー２２２から棒材２０２に電流が流れる状態にして待機する。有害動物５は、餌７に釣られ捕獲用檻１０に侵入する。捕獲用檻１０は、有害動物５の侵入が完了したタイミングで開閉部１０Ａを閉じる。これにより、動物駆除装置１を設置した作業者は、有害動物５の捕獲を完了する。作業者は、有害動物５の捕獲を完了後に、有害動物５に水をかけてもよい。
図４（Ｂ）に例示するように、捕獲用檻１０内部において、有害動物５が電極部２００の棒材２０２に接触し、有害動物５に電流が流れる。これにより、棒有害動物５は、気絶又は感電死し横たわる。
図４（Ｃ）に例示するように、作業者は、入／切スイッチを操作し、バッテリー２２４から棒材２０２に流れる電流を止める。作業者は、捕獲用檻１０の外側から、捕獲用檻１０の内部で横たわる有害動物５を止め刺す。これにより、作業者は、有害動物５の駆除を完了する。
【００２１】
以上説明したように、本実施形態における動物駆除装置１によれば、作業者が止めを刺す前に、捕獲した有害動物の動きを止めることができるため、作業者が安全に有害動物を駆除することができる。
【符号の説明】
【００２２】
１        動物駆除装置
１０      捕獲用檻
２０      屠殺用具
２００    電極部
２０２    棒材
２０４    絶縁部
２２０    電源装置
２２２    インバータ装置
２２４    バッテリー
２３０    アース棒
２４０    電線
【図１】
0003230223.tif 000003
【図２】
0003230223.tif 000004
【図３】
0003230223.tif 000005
【図４】
0003230223.tif 000006